(57)【要約】【課題】寄棟造りの既存住宅の桁面の全面に増築する際の増築工事において、施工の省力化、コストダウン及び廃棄物の削減を図る小屋組の増築施工法を提供すること。【解決手段】隅頂部母屋受け接続部１０３と隅木梁接続部１０５とを有する隅木梁延長金具１０２を用い、新規隅木梁１００の一端部１０１を既存隅木梁１の延長上に設置することにより、既存大棟の端部から新規大棟の端部に向って隅木梁を延長し、平部２０６と頂部母屋受け接続部２０５と登り梁接続部２０７とを有する登り梁延長金具２０２を用い、新規登り梁２００の一端部２０１を既存登り梁８の延長上に設置するとともに、下端部に増築部側の既存登り梁１１に設置される登り梁束接続金具２０４と上端部に新規登り梁２００に接続する新規登り梁接続部２１０とを有する新規登り梁束２０３を用い、該新規登り梁束２０３を新規登り梁２００と増築側の既存登り梁１１との間に鉛直に立設させることにより、既存大棟の中間部の登り梁を新規大棟の端部に向って延長する。【選択図】　　　図１
2004044082.tif 000002
【特許請求の範囲】
【請求項１】
寄棟造りの既存住宅の桁面の全面に増築する際の増築工事における小屋組の施工法であって、
既存大棟の端部下の垂直部材の上端部に設置された隅頂部母屋受けに設置される隅頂部母屋受け接続部と該隅頂部母屋受け接続部の一端縁から既存隅木梁の立上り角度と略等しい角度で立ち上がる隅木梁接続部とを有する隅木梁延長金具を用い、前記隅木梁接続部に新規隅木梁の一端部を接続し、前記隅頂部母屋受けに前記隅頂部母屋受け接続部を固定して、前記新規隅木梁の一端部を前記既存隅木梁の延長上に設置することにより、既存大棟の端部から新規大棟の端部に向って隅木梁を延長し、
既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がる登り梁接続部とを有する登り梁延長金具を用い、前記新規登り梁の一端部を前記登り梁接続部に接続し、前記平部を前記垂直部材の頂部に固定し、前記頂部母屋受け接続部を前記頂部母屋受けに固定することにより、前記新規登り梁の一端部を前記既存登り梁の延長上に設置するとともに、下端部に増築部側の既存登り梁に設置される登り梁束接続金具と上端部に前記新規登り梁に接続する新規登り梁接続部とを有する新規登り梁束を用い、前記登り梁束接続金具を前記既存の登り梁に固定し、前記新規登り梁束接続部を前記新規の登り梁に接続して、前記新規登り梁束を前記新規登り梁と前記増築側の既存登り梁との間に鉛直に立設させることにより、既存大棟の中間部の登り梁を新規大棟の端部に向って延長することを特徴とする小屋組の増築施工法。
【請求項２】
既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具に前記母屋受け接続部を固定し、増築部の新規母屋を前記母屋受け金具に設置された既存母屋の延長上に設置することにより、既存住宅の増築部側の母屋の設置方向を略９０°変更して、前記増築部の新規母屋を前記既存母屋と略同一面に配置することを特徴とする請求項１に記載の小屋組の増築施工法。
【請求項３】
小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部の軒先側部を切除し、相隣接するトラスの軒先側の端部に、突設された軒先梁接続部を相対向させて軒先梁設置金具をそれぞれ配設し、相対向するこれら軒先梁接続部に、軒先梁の両端部を接続することを特徴とする請求項１又は請求項２に記載の小屋組の増築施工法。
【請求項４】
小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部を切除し、相隣接するトラスの軒先側の端部に、前記トラスのウエブを跨ぐウエブ跨ぎ部と、該ウエブ跨ぎ部から直角方向に突設された軒先梁接続部とを有する軒先梁接続金具を前記軒先梁接続部を相対向させてそれぞれ配設し、相対向するこれら軒先梁接続部に、軒先梁の両端部を接続することを特徴とする請求項１乃至請求項３のいずれか１項に記載の小屋組の増築施工法。
【発明の詳細な説明】
【０００１】
【発明の属する技術分野】
本発明は、寄棟造りの住宅の増築時の増築工事に関し、既存住宅の小屋組を全面解体することなく増築部の小屋組を施工する小屋組の増築施工法に関する。
【０００２】
【従来の技術】
寄棟造りの既存住宅の桁面の全面に増築すると、増築後では増築前と比べて、棟高さが高くなったり棟方向が変わったりして、小屋組架構全体が変わることが多い（（図１参照））。
【０００３】
このような場合には、新しい小屋組に対応させて、既存小屋組の既存部材に別の部材を継ぎ足すか、既存部材を撤去して新規部材に交換するかして、既存小屋組の架構を変更する必要が生じる。このため、従来は、既存小屋組を全面的に解体して、新しい小屋組に施工し直していた。
【０００４】
【発明が解決しようとする課題】
しかしながら、既存小屋組を全面的に解体して、新しい小屋組に施工し直すので、多くの時間と労力を要し、施工期間が長くなるだけでなく、作業性が悪いという問題点があった。
【０００５】
また、小屋組の各構成部材が鋼等の金属からなる場合には、溶接により既存部材に別の部材を継ぎ足すことは可能であるが、作業性が悪いだけでなく、顧客が既存の住宅内で従来通り生活を営むことを考慮すると、十分な安全性を確保することが困難であるという問題点があった。
【０００６】
更に、既存小屋組を全面解体することにより、多量の産業廃棄物が発生し、これを運搬して処理するために、費用がかかるという問題点があった。
【０００７】
更にまた、前述のように、多くの場合は、増築工事中であっても顧客が既存の住宅内で生活を営むため、短期間で増築工事を終了することが望ましいが、施工期間の長期化に伴い顧客に不便を強いる期間が長くなり、顧客の負担が大きくなるという問題点があった。
【０００８】
本発明は、上記課題に鑑みてなされたものであり、寄棟造りの既存住宅の桁面の全面に増築する際の増築工事において、施工の省力化、コストダウン及び廃棄物の削減を図る小屋組の増築施工法を提供することを目的とする。
【０００９】
【課題を解決するための手段】
前記目的を達成するためになされた本発明の請求項１に記載の小屋組の増築施工法、寄棟造りの既存住宅の桁面の全面に増築する際の増築工事における小屋組の施工法であって、既存大棟の端部下の垂直部材の上端部に設置された隅頂部母屋受けに設置される隅頂部母屋受け接続部と該隅頂部母屋受け接続部の一端縁から既存隅木梁の立上り角度と略等しい角度で立ち上がる隅木梁接続部とを有する隅木梁延長金具を用い、前記隅木梁接続部に新規隅木梁の一端部を接続し、前記隅頂部母屋受けに前記隅頂部母屋受け接続部を固定して、前記新規隅木梁の一端部を前記既存隅木梁の延長上に設置することにより、既存大棟の端部から新規大棟の端部に向って隅木梁を延長し、既存大棟の中間部下の垂直部材の頂部に設置される平部と、前記垂直部材の上端部に設置された頂部母屋受けに設置される頂部母屋受け接続部と、該母屋受け接続部の一側中央部から既存登り梁の立上り角度と略等しい立上り角度で立り上がる登り梁接続部とを有する登り梁延長金具を用い、前記新規登り梁の一端部を前記登り梁接続部に接続し、前記平部を前記垂直部材の頂部に固定し、前記頂部母屋受け接続部を前記頂部母屋受けに固定することにより、前記新規登り梁の一端部を前記既存登り梁の延長上に設置するとともに、下端部に増築部側の既存登り梁に設置される登り梁束接続金具と上端部に前記新規登り梁に接続する新規登り梁接続部とを有する新規登り梁束を用い、前記登り梁束接続金具を前記既存の登り梁に固定し、前記新規登り梁束接続部を前記新規の登り梁に接続して、前記新規登り梁束を前記新規登り梁と前記増築側の既存登り梁との間に鉛直に立設させることにより、既存大棟の中間部の登り梁を新規大棟の端部に向って延長することを特徴とするものである。
【００１０】
請求項２に記載の小屋組の増築施工法は、請求項１に記載の小屋組の増築施工法において、既存住宅と増築部の境界に位置する既存隅木梁に設置された母屋受け金具に設置される母屋受け接続部と該母屋受け接続部と略９０°をなす母屋接続部とを有する母屋延長金具を用い、前記母屋受け金具に前記母屋受け接続部を固定し、増築部の新規母屋を前記母屋受け金具に設置された既存母屋の延長上に設置することにより、既存住宅の増築部側の母屋の設置方向を略９０°変更して、前記増築部の新規母屋を前記既存母屋と略同一面に配置することを特徴とするものである。
【００１１】
請求項３に記載の小屋組の増築施工法は、小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部の軒先側部を切除し、相隣接するトラスの軒先側の端部に、突設された軒先梁接続部を相対向させて軒先梁設置金具をそれぞれ配設し、相対向するこれら軒先梁接続部に、軒先梁の両端部を接続することを特徴とするものである。
【００１２】
請求項４に記載の小屋組の増築施工法は、小屋組のトラスの一端側から斜め下方にトラス軒先部が延設された住宅の桁側面への増築工事で、既存住宅の桁側面の軒先に沿って軒先梁を新たに追加する軒先梁設置工法であって、既存住宅の前記軒先梁を追加する桁側面のトラス軒先部を切除し、相隣接するトラスの軒先側の端部に、前記トラスのウエブを跨ぐウエブ跨ぎ部と、該ウエブ跨ぎ部から直角方向に突設された軒先梁接続部とを有する軒先梁接続金具を前記軒先梁接続部を相対向させてそれぞれ配設し、相対向するこれら軒先梁接続部に、軒先梁の両端部を接続することを特徴とするものである。
【００１３】
【発明の実施の形態】
第１に、図１に示すように、既存隅木梁１を新規大棟の端部まで延長する。この既存隅木梁１の延長は、図２に示すように、既存大棟の端部下の垂直部材である既存寄棟束２の上端部３に設けられた隅頂部母屋受け４に新規隅木梁１００の一端部１０１を隅木梁延長金具１０２を用いて接続することにより行う。
【００１４】
既存隅木梁１は、図３に示すように、２本のＣ型鋼５をボルト締めで締結し、開口部が互い外側を向き、かつ、所望の間隔の隙間を確保したものであって、既存大棟の端部から既存軒先の出隅に向って４５°の方向へ持ち出すように設けられる（図１参照）ことにより定まる立上り角度θで、既存寄棟束２の上端部３に設置された梁接続金具６に接続している。
【００１５】
既存寄棟束２は、図３に示すように、既存隅木梁１と同様に、開口部が外側を向くように２本のＣ型鋼５をボルト締めで締結したものであって、上端部３に隅頂部母屋受け４及び梁接続金具６が、下端部に登り梁束接続金具がそれぞれ設けられている。
【００１６】
隅頂部母屋受け４は、図３に示すように、断面略Ｌ字形の金具であって、母屋を受ける受け部７には母屋を隅頂部母屋受け４に固定するための貫通孔７ａが穿設されている。
【００１７】
新規隅木梁１００は、図４に示すように、既存隅木梁１と同様の構成であって、両端部に一対の貫通孔１００ａが穿設されている。
【００１８】
隅木梁延長金具１０２は、図４に示すように、貫通孔１０３ａが穿設された隅頂部母屋受け接続部１０３と、隅頂部母屋受け接続部１０３の一端縁１０４から折れ曲がって既存隅木梁１の立上り角度θと略等しい立上り角度（以下、「立上り角度θ」という。）で立ち上がり、端部に貫通孔１０５ａが穿設された隅木梁接続部１０５とを有している。
【００１９】
隅頂部母屋受け接続部１０３は、図３又は図５に示すように、その高さは隅頂部母屋受け４の受け部７の高さと略等しく、その長さは隅頂部母屋受け４の受け部７の長さより長くして、隅頂部母屋受け接続部１０３を隅頂部母屋受け４の受け部７にあてがったときに隅頂部母屋受け接続部１０３の一端縁１０４が既存隅木梁１の長軸線Ｌの延長上に位置する長さとする（図６参照）。貫通孔１０３ａは、隅頂部母屋受け接続部１０３を隅頂部母屋受け４の受け部７にあてがったときに該受け部７の貫通孔７ａと略一致する位置に穿設されている。
【００２０】
隅木梁接続部１０５は、図４に示すように、その長さ等は特に限定されるものではないが、その厚さは新規隅木梁１００の２本のＣ型鋼５の隙間と略等しくしている。２個の貫通孔１０５ａはその中心を結ぶ線が水平方向に対して立上り角度θをなし、その間隔が新規隅木梁１００の一対の貫通孔１００ａと略等しい間隔となる位置に穿設されている。また、平面視では、図５に示すように、隅頂部母屋受け接続部１０３と略１３５°の角度をなしている。これにより、図６に示すように、隅頂部母屋受け接続部１０３を既存寄棟束２の上端部３に固定すると、既存寄棟束２の中心から既存大棟方向に対して４５°の軸線上に隅木梁接続部１０５が位置することとなる。
【００２１】
以下、新規隅木梁１００の一端部１０１の既存寄棟束２の上端部３への接続について説明する。まず、図４に示すように、新規隅木梁１００を構成する２本のＣ型鋼５の間に隅木梁延長金具１０２の隅木梁接続部１０５を挿入して、新規隅木梁１００の一端部１０１の貫通孔１００ａと隅木梁接続部１０５の貫通孔１０５ａとをボルトナットから構成される締結具５０で締結することにより、新規隅木梁１００の一端部１０１を隅木梁延長金具１０２に接続する。
【００２２】
そして、図５に示すように、増築部側の隅頂部母屋受け４の受け部７に隅木梁延長金具１０２の隅頂部母屋受け接続部１０３をあてがい、受け部７の貫通孔７ａと隅頂部母屋受け接続部１０３の貫通孔１０３ａとを締結具５０で締結することにより、隅木梁延長金具１０２を増築部側の隅頂部母屋受け４に固定する。
【００２３】
以上により、図２及び図３に示すように、新規隅木梁１００の一端部１０１は既存寄棟束２の上端部３に接続されて、新規隅木梁１００が既存隅木梁１の延長上に設置される、即ち、図１に示すように、既存隅木梁１が増築部側の新規大棟の端部に向って延長されたこととなる。
【００２４】
なお、本実施の形態では、施工現場において新規隅木梁１００の一端部１０１と隅木梁延長金具１０２の隅木梁接続部１０５とをボルト締めで接続したが、これに限定されるものではなく、予め工場において新規隅木梁１００の一端部１０１と隅木梁延長金具１０２の隅木梁接続部１０５とを溶接で接続しておいてもよい。これにより、施工現場での作業を軽減することができる。
【００２５】
また、本実施の形態では、既存の小屋組をトラス小屋組としているが、図７に示すように、既存の小屋組を和小屋組とした場合においても同様であって、隅木梁延長金具１０２用いて新規隅木梁１００一端部１０１を既存寄棟束２の上端部３に接続する。
【００２６】
第２に、図１に示すように、既存大棟の中間部に設置された既存登り梁（トラス）８を増築部側の新規大棟の端部に向って延長する。この既存登り梁（トラス）８の延長は、図８に示すように、既存大棟の中間部下の垂直部材である既存登り梁（トラス）真束９の上端部１０に新規登り梁２００の一端部２０１を登り梁延長金具２０２を用いて固定するとともに、増築部側の既存登り梁（トラス）１１と新規登り梁２００との間に新規登り梁束２０３を登り梁束接続金具２０４を用いて設置することにより行う。
【００２７】
既存登り梁（トラス）８及び増築部側の既存登り梁（トラス）１１は、図８に示すように、２本のＣ型鋼５をボルト締めで締結し、開口部が互い外側を向き、かつ、所望の間隔の隙間を確保したものであって、既存大棟から既存大梁の端部に向って斜め下方に下るように既存登り梁（トラス）真束９及び既存登り梁束１２に支持されている。
【００２８】
また、既存登り梁（トラス）真束９の上端部１０には断面略Ｌ字型の頂部母屋受け１３が、既存登り梁（トラス）８及び増築部側の既存登り梁（トラス）１１の上面には断面略Ｌ字形の母屋受け１４がそれぞれ設けられている。また、母屋を受ける受け部１５、１６には母屋を固定するための貫通孔１５ａ、１６ａがそれぞれ穿設されている（図１５又は図１７参照）。
【００２９】
新規登り梁２００は、図８に示すように、既存登り梁（トラス）８及び増築部側の既存登り梁（トラス）１１と同様の構成であって、所定の間隔をおいて登り梁延長金具２０２や新規登り梁束２０３に接続するための貫通孔２００ａが穿設されている（図１７参照）。
【００３０】
登り梁延長金具２０２は、図９に示すように、両端部に貫通孔２０５ａが穿設された略長方形の頂部母屋受け接続部２０５と、両端部に貫通孔２０６ａが穿設された略長方形の平部２０６と、頂部母屋受け接続部２０５の背側面中央部から水平方向に対して図８に示す大梁と既存登り梁（トラス）８とがなす角度αと略等しい立上り角度（以下、「立上り角度α」という。）で立ち上がり、頂部母屋受け接続部２０５と対向する端部に２個の貫通孔８ａが穿設された登り梁接続部２０７と、頂部母屋受け接続部２０５と平部２０６とを繋ぐ補強部２０８とを有している。
【００３１】
頂部母屋受け接続部２０５は、図１０又は図１１に示すように、その長さは頂部母屋受け１３の受け部１５の長さと略等しく、貫通孔２０５ａは、頂部母屋受け接続部２０５を頂部母屋受け１３の受け部１５にあてがったときに頂部母屋受け１３のの貫通孔１５ａと略一致する位置に穿設されている。
【００３２】
平部２０６は、その長さは頂部母屋受け接続部２０５の長さと略等しく、貫通孔２０６ａは、頂部母屋受け接続部２０５を頂部母屋受け１３の受け部１５にあてがったときに既存登り梁（トラス）真束９の頂部１７に穿設された貫通孔１７ａと略一致する位置に穿設されている。
【００３３】
登り梁接続部２０７は、その長さは特に限定されないが、その厚さは新規登り梁２００の２本のＣ型鋼５の隙間と略等しく、２個の貫通孔８ａは、その中心を結ぶ線が水平方向に対して立上り角度αをなし、その間隔が新規登り梁２００の貫通孔２００ａと略等しい間隔となる位置に穿設されている。これにより、登り梁延長金具２０２を既存登り梁（トラス）真束９に固定すると、登り梁接続部２０７は既存登り梁（トラス）８の延長上に位置することとなる。
【００３４】
補強部２０８は、その一端部が頂部母屋受け接続部２０５の端縁に、その下端部が平部２０６の端縁にそれぞれ固着されることにより、頂部母屋受け接続部２０５と平部２０６との間に隙間２０９を確保しながら頂部母屋受け接続部２０５と平部２０６とを繋いでいる。
【００３５】
また、新規登り梁束２０３は、図１２に示すように、既存登り梁束１２と同様の構成であって、上端部には貫通孔２１０ａが穿設された新規登り梁接続部２１０が、下端部には登り梁束接続金具２０４が設けられている。新規登り梁接続部２１０の２個の貫通孔２１０ａは、その中心を結ぶ線が水平方向に対して立上り角度αをなし、その間隔が新規登り梁２００の貫通孔２００ａと略等しい間隔となる位置に穿設されている（図１７参照）。
【００３６】
登り梁束接続金具２０４は、図１２に示すように、略長方形の設置部２１１と、該設置部２１１の上面に設置部２１１の長手方向と略平行かつ幅方向の中央部に所定の立上り角度βをなして設置された登り梁束接続部２１２と、設置部２１１の下面に設置部２１１の長手方向と略平行かつ幅方向の中央部に略９０°をなして突設され、設置部２１１と対向する端部に貫通孔２１３ａが穿設された既存登り梁接続部２１３と、設置部２１１の一端から略９０°をなして立ち上がり、その両端部に貫通孔２１４ａが穿設された母屋受け接続部２１４と、設置部２１１の両側縁から略９０°をなして立ち上がり、一端部に母屋受け接続部２１４の側縁をそれぞれ固着した補強部２１５とを有するものである。
【００３７】
設置部２１１は、図１３又は図１４に示すように、増築部側の既存登り梁（トラス）１１の上面に設置するものであり、その幅は母屋受け１４の受け部１６の幅と略等しく、その長さは母屋受け１４の設置間隔より短い。また、母屋受け接続部２１４と対向する端部の下面に母屋受け１４の厚さと略等しい厚さの不陸調節部２１６を設けている。
【００３８】
登り梁束接続部２１２は、新規登り梁束２０３の下端部を登り梁束接続金具２０４に接続するためのものであり、その一側面中央部に登り梁束接続部２１２を補強するための補強リブ２１７を設けている。登り梁束接続部２１２の長さ方向の位置は、登り梁束接続金具２０４を増築部側の既存登り梁（トラス）１１に設置したときに新規登り梁束２０３が既存登り梁束１２の真上となる位置とする。また、立上り角度βを９０°に図１に示す大梁１１と既存登り梁（トラス）８とがなす角度αを足した角度として、登り梁束接続金具２０４を増築部側の既存登り梁（トラス）１１に設置したときに、登り梁束接続部２１２を増築部側の既存登り梁（トラス）１１に鉛直に立設させる。これにより、登り梁束接続金具２０４を増築部側の既存登り梁（トラス）１１に固定するだけで、登り梁束接続部２１２に接続された新規の新規登り梁束２０３は、既存登り梁束１２の真上に鉛直に立設することとなる。
【００３９】
なお、本実施の形態では、新規登り梁束２０３と登り梁束接続部２１２との接続は溶接により行うが、これに限定されるものではなく、図示はしないが、新規登り梁束２０３の下端部及び登り梁束接続部２１２の上端部に貫通孔をそれぞれ穿設して、ボルト締めで新規登り梁束２０３を登り梁束接続部２１２に接続することにより行ってもよい。
【００４０】
既存登り梁接続部２１３は、登り梁束接続金具２０４を増築部側の既存登り梁（トラス）１１に設置するためのものであり、その厚さは増築部側の既存登り梁（トラス）１１の２本のＣ型鋼５の隙間と略等しくし、その長さはＣ型鋼５のウェブの長さより長くしている。
【００４１】
母屋受け接続部２１４は、母屋受け１４の受け部１６に固定されて登り梁束接続金具２０４を増築部側の既存登り梁（トラス）１１に固定するものであり、その幅は母屋受け１４の受け部１６の幅と略等しく、その高さは母屋受け１４の受け部１６の高さと略等しくしている。貫通孔２１４ａは、設置部２１１を増築部側の既存登り梁（トラス）１１の上面に置いたときに、母屋受け１４の受け部１６の貫通孔２１３ａと略一致する位置に穿設されている。
【００４２】
補強部２１５は、登り梁束接続金具２０４の補強を図るものであり、設置部２１１の母屋受け接続部２１４の方の下隅角部に水がたまらないように、該下隅角部と接する縁辺の一部分を切り欠いて水抜き部２１８を設けている。
【００４３】
以下、新規登り梁２００の端部２０１の既存登り梁（トラス）真束９の上端部１０への接続について説明する。まず、図１５に示すように、新規登り梁２００を構成する２本のＣ型鋼５の間に登り梁延長金具２０２の登り梁接続部２０７を挿入して、新規登り梁２００の一端部２０１の貫通孔２００ａと登り梁延長金具２０２の登り梁接続部２０７の貫通孔８ａとをボルトナットで構成される締結具５０で締結することにより、新規登り梁２００の一一端部２０１を登り梁延長金具２０２に接続する。
【００４４】
そして、増築部側の頂部母屋受け１３を登り梁延長金具２０２の隙間２０９に嵌め入れ、増築部側の頂部母屋受け１３の受け部１５に登り梁延長金具２０２の頂部母屋受け接続部２０５をあてがい、受け部１５の貫通孔１５ａと頂部母屋受け接続部２０５の貫通孔２０５ａとを締結具５０で締結し、既存登り梁（トラス）真束９の頂部１７に登り梁延長金具２０２の平部２０６を載置し、頂部１７の貫通孔１７ａと平部２０６の貫通孔２０６ａとを締結具５０で締結することにより、登り梁延長金具２０２を増築部側の頂部母屋受け１３及び既存登り梁（トラス）真束９の頂部１７に固定する。これにより、図１０及び図１１に示すように、新規登り梁２００の一端部２０１が既存登り梁（トラス）真束９の上端部１０に接続され、既存登り梁（トラス）８の延長上に位置することとなる。
【００４５】
次に、新規登り梁束２０３の増築部側の既存登り梁（トラス）１１への設置について説明する。まず、図１６に示すように、増築部側の既存登り梁（トラス）１１の２本のＣ型鋼５の間に登り梁束接続金具２０４の既存登り梁接続部２１３を挿入し、登り梁束接続金具２０４の設置部２１１を増築部側の既存登り梁（トラス）１１の上面に載置し、増築部側の既存登り梁（トラス）１１の下面から突出した既存登り梁接続部２１３の突出部分の両側に一方に貫通孔２１９ａが穿設された２枚の折れ形のプレート２１９をそれぞれあてがい、各プレート２１９の貫通孔２１９ａと既存登り梁接続部２１３の貫通孔２１３ａとを締結具５０で締結することにより登り梁束接続金具２０４を増築部側の既存登り梁（トラス）１１の上面に設置する。
【００４６】
また、図１７に示すように、登り梁束接続金具２０４の母屋受け接続部２１４を既存登り梁束１２近傍の母屋受け１４の受け部１６にあてがい、母屋受け接続部２１４の貫通孔２１４ａと受け部１６の貫通孔１６ａとを締結具５０で締結して母屋受け接続部２１４を母屋受け１４に固定することにより、登り梁束接続金具２０４を増築部側の既存登り梁（トラス）１１の上面に固定する。これにより、図１３及び図１４に示すように、登り梁束接続金具２０４は、増築部側の既存登り梁（トラス）１１に固定される。
【００４７】
そして、図１７に示すように、新規登り梁接続部２１０を新規登り梁２００の２本のＣ型鋼５の間に挿入し、新規登り梁２００の貫通孔２００ａと新規登り梁接続部２１０の貫通孔２１０ａとを締結具（図示せず）で締結することにより、新規登り梁接続部２１０を新規登り梁２００に接続する。これにより、図１３に示すように、新規登り梁束２０３は、既存登り梁束１２の真上に鉛直に立設する。
【００４８】
以上により、図８に示すように、新規登り梁束２０３は増築部側の既存登り梁（トラス）１１と新規登り梁２００との間に鉛直に立設して新規登り梁２００を支持するので、新規登り梁２００が立上り角度αで既存登り梁（トラス）８の延長上に設置される、即ち、図１に示すように、既存登り梁（トラス）８が増築部側の新規大棟の端部に向って延長されたこととなる。
【００４９】
なお、図１８に示すように、設計の都合上、新規登り梁束２０３を既存登り梁束１２の真上からずらせて設ける場合には、設置部２１１の他端部に母屋受け接続部２１４が設けられた登り梁束接続金具２２０を用い、該登り梁束接続金具２２０の母屋受け接続部２１４を母屋受け１４に固定することにより、新規登り梁束２０３を増築部側の既存登り梁（トラス）１１に設置する。
【００５０】
更に、本実施の形態では、新規登り梁束２０３を１本のＣ型鋼５としたが、既存登り梁束１２と同様に２本のＣ型鋼５とすることも可能である。この場合の登り梁束接続金具２３０は、図１９に示すように、設置部２１１の長さは母屋受け１４の設置間隔と略等しく、設置部２１１の両端に母屋受け接続部２１４が設けられている。
【００５１】
登り梁束接続金具２３０と増築部側の既存登り梁（トラス）１１との接続は、図２０に示すように、２個の母屋受け１４の間に、登り梁束接続金具２３０を嵌め入れ、各母屋受け１４の受け部１６と各母屋受け接続部２１４とを締結具５０で締結することにより行う。なお、新規登り梁束２０３と登り梁束接続金具２３０との接続は、新規登り梁束２０３の下端部及び登り梁束接続部２１２の上端部に貫通孔をそれぞれ穿設して、これらの貫通孔を締結具５０で締結することにより行う。
【００５２】
更にまた、本発明の実施の形態では、既存住宅の小屋組をトラス小屋組としているが、図２１に示すように、既存の小屋組を和小屋組とした場合においても同様であって、登り梁延長金具５を用いて新規登り梁２００の一一端部２０１を既存登り梁（トラス）真束９の上端部１０に接続し、登り梁束接続金具２０４を用いて新規登り梁束２０３を増築部側の既存登り梁（トラス）１１と新規登り梁２００間に鉛直に立設させる。
【００５３】
第３に、図８に示すように、新規寄棟束２５０を増築部側の既存登り梁（トラス）１１に鉛直に立設させる。この新規寄棟束２５０の立設は、登り梁束接続金具２０４を用いて増築部側の既存登り梁（トラス）１１に設置された母屋受け１４に新規寄棟束２５０の下端部を固定することにより行う。
【００５４】
新規寄棟束２５０は、図３に示す既存寄棟束２と同様の構成であって、開口部が外側を向くように２本のＣ型鋼５をボルト締めで締結したものであって、上端部には頂部母屋受け１３及び梁接続金具２５１が、下端部には登り梁束接続金具２０４がそれぞれ設けられている。
【００５５】
新規寄棟束２５０の梁接続金具２５１に新規隅木梁１００の他端部及び新規登り梁２００の他端部を接続する。この接続は、前述と同様の手順により行い、即ち、新規隅木梁１００を構成する２本のＣ型鋼５の間に梁接続金具２５１の隅木梁接続部を挿入して、新規隅木梁１００の他端部と梁接続金具２５１とをボルト締めすることにより、新規隅木梁１００の他端部を梁接続金具２５１に接続するとともに、新規登り梁２００を構成する２本のＣ型鋼５の間に梁接続金具２５１の登り梁接続部挿入して、新規登り梁２００と梁接続金具２５１とをボルト締めすることにより行う（図８参照）。
【００５６】
以上により、図１に示すように、新規隅木梁１００は既存寄棟束１１と新規寄棟束２５０との間に設置され、新規登り梁２００は既存登り梁（トラス）真束９と新規寄棟束２５０との間に設置されて、既存隅木梁１０及び既存登り梁（トラス）８は増築後の小屋組に対応して増築部側へそれぞれ延長される。
【００５７】
第４に、図２２に示すように、既存住宅の増築部側の母屋の設置方向を略９０°変更して増築部の新規母屋を既存住宅の既存母屋と略同一面に配置する。まず、増築部の新規軒先母屋４００を既存住宅の既存軒先母屋１８と略同一面に配置する。具体的には、図２３に示すように、既存住宅と増築部の境界に位置する既存隅木梁１９の軒先部に設けられた既存軒先梁２０（図示せず）の先端に設置された軒先母屋受け金具２１に軒先母屋延長金具４０１を固定し、該軒先母屋受け金具４０１に新規軒先母屋４００の端部４０２を接続することにより、新規軒先母屋４００を既存軒先母屋１８の延長上に設置する。なお、本各実施の形態に示す既存隅木梁１９及び既存軒先梁２０は、図３に示す既存隅木梁１と同様の構成であって、２本のＣ型鋼をボルト締めで締結したものであって、既存大棟の端部から軒先の出隅に向って４５°の方向へ持ち出すように設けられている（図２２参照）。
【００５８】
既存軒先母屋１８は、図２４に示すように、先端を所定の形状に形成した長尺の木角材であり、端部を既存軒先梁２０の先端に設けられた軒先母屋受け金具２１にボルトナットから構成される締結具５０で締結して固定されることにより既存軒先梁２０に設置されている（図１参照）。
【００５９】
軒先母屋受け金具２１は、図２４に示すように、中央部で略９０°の角度をなして折れ曲がり、両端部に貫通孔２２ａが穿設された山形プレート２２と、該山形プレート２２の折曲部２３の入隅に一方の縁辺が固着された略長方形の接続プレート２４とを有している。軒先母屋受け金具２１の既存軒先梁２０への固定は、接続プレート２４の他方を既存軒先梁２０の先端から、既存軒先梁２０の２本のＣ型鋼の間に挿入し、接続プレート２４の他方を既存軒先梁２０の先端にボルト締めで固定することにより行う。
【００６０】
既存軒先母屋１８の軒先母屋受け金具２１への固定は、図２３に示すように、既存軒先母屋１８の先端と増築部側の既存軒先母屋２５の先端とが略合致するように、軒先母屋受け金具２１の山形プレート２２の両外側面に既存軒先母屋１８の端部と増築部側の既存軒先母屋２５の端部とをそれぞれあてがい、締結具５０で締結して固定することにより行う。これにより、既存軒先母屋１８と増築部側の既存軒先母屋２５とが同一面に、かつ、略９０°の角度をなして既存軒先梁２０の先端部に配置される。
【００６１】
新規軒先母屋４００は、図２４に示す既存軒先母屋１８と同様に、先端を所定の形状に形成した長尺の木角材であって、端部４０２には貫通孔４０２ａが穿設されている（図５参照）。
【００６２】
軒先母屋延長金具４０１は、図２４に示すように、両端部に貫通孔４０３ａ、４０４ａが穿設された１枚のプレートを中央部で捻るようにして略９０°の角度をなすように折り曲げて形成し、その一方を軒先母屋受け接続部４０３、その他方を軒先母屋接続部４０４としたものである。
【００６３】
軒先母屋延長金具４０１の軒先母屋受け金具２１への固定は、図２５に示すように、軒先母屋受け金具２１の山形プレート２２の増築部側の側面に軒先母屋延長金具４０１の軒先母屋受け接続部４０３の側面を軒先母屋受け金具２１の折曲部２３と軒先母屋延長金具４０１の折曲部４０５とが略合致するようにあてがい、軒先母屋受け金具２１の山形プレート２２の貫通孔２２ａと軒先母屋延長金具４０１の軒先母屋受け接続部４０３の貫通孔４０３ａとを締結具５０で締結することにより行う。これにより、図２５に示すように、軒先母屋延長金具４０１の軒先母屋接続部４０４と軒先母屋受け金具２１の山形プレート２２の既存軒先母屋１８側の側面とが略同一面に、かつ、一直線上に配置される。
【００６４】
新規軒先母屋４００の端部４０２の軒先母屋延長金具４０１への接続は、図２６に示すように、軒先母屋延長金具４０１を軒先母屋受け金具２１に固定した後、既存軒先母屋１８の先端と新規軒先母屋４００の先端とが略合致するように、軒先母屋延長金具４０１の軒先母屋接続部４０４に新規軒先母屋４００の端部４０２をあてがい、該新規軒先母屋４００の端部４０２の貫通孔４０２ａと軒先母屋延長金具４０１の軒先母屋接続部４０４の貫通孔４０４ａとを締結具５０で締結することにより行う。これにより、図２３に示すように、新規軒先母屋４００が既存軒先母屋１８の延長上に設置される。
【００６５】
以上により、図２２に示すように、既存住宅の増築部側の母屋の設置方向が略９０°変更されて、新規軒先母屋４００が既存軒先母屋１８と同一面に配置される、即ち、既存軒先母屋１８が増築部側へ延長されたこととなる。
【００６６】
次に、図２２に示すように、増築部の新規第１母屋４１０を既存住宅の既存第１母屋２６と同一面に配置する。具体的には、図２７に示すように、既存軒先梁２０の既存隅木梁１００（図示せず）の方の端部に設置された第１母屋受け金具２７に第１母屋延長金具４１１を固定し、該第１母屋延長金具４１１に新規第１母屋４１０の端部４１２を接続することにより、新規第１母屋４１０を既存第１母屋２６の延長上に設置することにより行う。新規第１母屋４１０は、長尺の木角材であって、端部４１２には貫通孔４１２ａが穿設されている（図１０参照）。
【００６７】
既存第１母屋２６は、既存軒先母屋１８と同様の構成であって、図２７に示すように、端部を既存軒先梁２０の所定位置に設けられた第１母屋受け金具２７に締結具５０で締結して固定されることにより、既存軒先１００の１段上に設置されている（図１参照）。
【００６８】
第１母屋受け金具２７は、図２８に示すように、斜辺が長辺に対して略４５°の角度をなす略台形の平部２８と、該平部２８の長辺から略９０°の角度をなして上向きに立ち上がり、端部に貫通孔２９ａが穿設された第１母屋受け部２９とを有している。第１母屋受け金具２７の既存軒先梁２０への固定は溶接により行われ、２個の第１母屋受け金具２７は、各第１母屋受け部２９が既存軒先梁２０の長軸線Ｌに対して対称となるように、即ち、第１母屋受け部２９どうしが略９０°の角度をなすように、既存軒先梁２０の両側面に設けられている。
【００６９】
既存第１母屋２６の第１母屋受け金具２７への固定は、図２７に示すように、既存第１母屋２６の先端を既存軒先梁２０の増築部側面に当接させ、既存第１母屋２６の端部を第１母屋受け金具２７の平部２８に載置し、第１母屋受け金具２７の第１母屋受け部２９に締結具５０で締結することにより行う。これにより、既存第１母屋２６と増築部側の既存第１母屋３０とが同一面に、かつ、略９０°の角度をなして既存軒先梁２０に配置される。
【００７０】
第１母屋延長金具４１１は、図２９に示すように、斜辺が長辺に対して略４５°の角度をなす略台形の蓋部４１３と、該蓋部４１３の短辺から略９０°の角度をなして下向きに垂れ下がり、下隅角部に貫通孔４１４ａが穿設された第１母屋受け接続部４１４とを有する第１母屋受け接続部材４１５と、斜辺が長辺に対して略４５°の角度をなす略台形の底部４１６と、該底部４１６の短辺から略９０°の角度をなして上向きに立ち上がり、上隅角部に貫通孔４１７ａが穿設された第１母屋接続部４１７とを有する第１母屋接続部材４１８と、略長方形の添え部４１９と、蓋部４１３の斜辺と対向する縁辺及び第１母屋受け接続部４１４の縁辺に固着された略長方形の補強部４２０とを有しており、添え部４１９の表面に底部４１６の斜辺及び第１母屋接続部４１７の縁辺及び蓋部４１３の斜辺を固着することにより形成したものである。
【００７１】
第１母屋延長金具４１１の増築部側の第１母屋受け金具２７への固定は、図３０に示すように、第１母屋延長金具４１１の第１母屋受け接続部材４１５を第１母屋受け金具２７の第１母屋受け部２９に上方から被せて、第１母屋受け金具２７の第１母屋受け部２９の平部２８側面に第１母屋延長金具４１１の第１母屋受け接続部材４１５の第１母屋受け接続部４１４をあてがうとともに、既存軒先梁２０の増築部側面に第１母屋延長金具４１１の添え部４１９の裏面をあてがい、第１母屋受け金具１１の第１母屋受け部２９に第１母屋延長金具４１１の第１母屋受け接続部４１４を締結具で締結して固定することにより行う。
【００７２】
このとき、第１母屋延長金具４１１の第１母屋受け接続部材４１５の折曲部の長さを、第１母屋受け金具２７の第１母屋受け部２９の上縁辺と略等しくしておくと、第１母屋延長金具４１１を第１母屋受け金具２７に固定したときに、第１母屋延長金具４１１の第１母屋受け接続部材４１５が、既存軒先梁２０と第１母屋延長金具４１１の補強部４２０とで挟まれた状態となるので、第１母屋延長金具４１１を第１母屋受け金具２７に安定良く設置することができる（図３１参照）。
【００７３】
これにより、図３１に示すように、第１母屋延長金具４１１の第１母屋接続部材４１８の折曲部４２１は、既存第１母屋２６の方の第１母屋受け金具２７の折曲部３１と略同一面に、かつ、その延長線上に配置される。
【００７４】
新規第１母屋４１０の端部４１２の第１母屋延長金具４１１への接続は、図３１に示すように、第１母屋延長金具４１１を第１母屋受け金具２７に固定した後、第１母屋延長金具４１１の第１母屋接続部材４１８に新規第１母屋４１０の端部４１２を載置し、該新規第１母屋４１０の端部４１２の貫通孔４１２ａと第１母屋延長金具４１１の第１母屋接続部４１７の貫通孔４１７ａとを締結具５０で締結することにより行う。これにより、図２７に示すように、新規第１母屋４１０が既存第１母屋２６の延長上に設置される。
【００７５】
以上により、図２２に示すように、既存住宅の増築部側の母屋の設置方向が略９０°変更されて、新規第１母屋４１０が既存第１母屋２６と同一面に配置される、即ち、既存第１母屋２６が増築部側へ延長されたこととなる。
【００７６】
次に、図２２に示すように、増築部の新規第２母屋４３０を既存住宅の既存第２母屋３２と同一面に配置する。具体的には、図３２に示すように、既存隅木梁１９と既存軒先梁２０との接続部近傍に設置された第２母屋受け金具３３に第２母屋延長金具４３１を固定し、該第２母屋延長金具４３１に新規第２母屋４３０の端部４３２を接続することにより、新規第２母屋４３０を既存第２母屋３２の延長上に設置する。新規第２母屋４３０は、長尺の木角材であって、端部４３２には貫通孔４３２ａが穿設されている（図３６参照）。
【００７７】
既存第２母屋３２は、既存軒先母屋１８及び既存第１母屋２６と同様の構成であって、図３２に示すように、端部を既存隅木梁１９の既存軒先梁１０１との接続部近傍に設けられた第２母屋受け金具３３に締結具５０で締結して固定されることにより、既存軒先母屋１８の２段上に設置されている（図１参照）。
【００７８】
第２母屋受け金具３３は、図３３に示すように、互いに略９０°をなす２つの縁辺を有する略六角形の平部３４と、該各平部３４の縁辺からそれぞれ略９０°をなして上向きに立ち上がり、上端部に貫通孔３５ａが穿設された第２母屋受け部３５とを有している。第２母屋受け金具３３の既存隅木梁１９への固定は溶接により行われ、第２母屋受け金具３３の２個の第２母屋受け部３５が互いに既存隅木梁１９の長軸線Ｌに対して対称となるように既存隅木梁１９の上面に設けられている。
【００７９】
既存第２母屋３２の第２母屋受け金具３３への固定は、図３２に示すように、、既存第２母屋３２の先端と増築部側の既存第２母屋３６の先端とが略合致するように、既存第２母屋３２の端部及び増築部側の既存第２母屋３６の端部をそれぞれ第２母屋受け金具３３の平部３４に載置するとともに、各第２母屋受け部３５に締結具５０で締結して固定することにより行う。これにより、既存第２母屋３２と増築部側の既存第２母屋３６とが同一面に、かつ、略９０°の角度をなして既存隅木梁１９に配置される。
【００８０】
第２母屋延長金具４３１は、図３４に示すように、第２の実施形態の第１母屋延長金具４１１と同様の構成であり、蓋部４３３３と貫通孔４３４ａが穿設された第２母屋受け接続部４３４とを有する第２母屋受け接続部材４３５と、底部４３６と貫通孔４３７ａが穿設された第２母屋接続部４３７とを有する第２母屋接続部材４３８と、添え部４３９と、補強部４４０とを有しており、添え部４３９の表面に底部４３６の斜辺、第２母屋接続部３４の縁辺及び蓋部４３３３の斜辺を固着することにより形成したものである。
【００８１】
第２母屋延長金具４３１の第２母屋受け金具３３への固定においても、図３５に示すように、第２の実施形態と同様であり、第２母屋延長金具４３１の第２母屋受け接続部材４３５を第２母屋受け金具３３の第２母屋受け部３５に上方から被せて、第２母屋受け金具３３の第２母屋受け部３５に第２母屋延長金具４３１の第２母屋受け接続部４３４を締結具（図示せず）で締結して固定することにより行う。
【００８２】
このとき、第２母屋延長金具４３１の第２母屋受け接続部材４３５の折曲部の長さを、第２母屋延長金具４３１を第２母屋受け金具３３に固定したときの添え部４３９から第２母屋受け部３５の既存隅木梁１９と対向する縁辺までの距離と略等しくしておくと、第２母屋延長金具４３１を第２母屋受け金具３３に固定したときに、第２母屋延長金具４３１の第２母屋受け接続部材４３５が、第２母屋延長金具４３１の添え部４０と補強部４４０とで挟まれた状態となるので、第２母屋延長金具４３１を第２母屋受け金具３３に安定良く設置することができる（図３６参照）。
【００８３】
これにより、図３６に示すように、第２母屋延長金具４３１の第２母屋接続部材４３８の折曲部４４１が既存第２母屋３２の方の折曲部３７と略同一面に、かつ、その延長線上に配置される。
【００８４】
新規第２母屋４３０の端部４３２の第２母屋延長金具４３１への接続は、図３６に示すように、第２母屋延長金具４３１を第２母屋受け金具３３に固定した後、第２母屋延長金具４３１の第２母屋接続部材４３８に新規第２母屋４３０の端部４３２を載置し、該新規第２母屋４３０の端部４３２の貫通孔４３２ａと第２母屋延長金具４３１の第２母屋接続部４３７の貫通孔４３７ａとを締結具５０で締結することにより行う。これにより、図３２に示すように、新規第２母屋４３０が既存第２母屋３２の延長上に設置される。
【００８５】
以上により、図２２に示すように、既存住宅の増築部側の母屋の設置方向が略９０°変更されて、新規第２母屋４３０が既存第２母屋３２と同一面に配置される、即ち、既存第１母屋１２０が増築部側へ延長されたこととなる。
【００８６】
次に、図２２に示すように、増築部の新規一般母屋４５０を既存住宅の既存一般母屋３８と同一面に配置する。具体的には、図３７に示すように、既存隅木梁１９に設置された一般母屋受け金具３９に一般母屋延長金具４５１を固定し、該一般母屋延長金具４５１に新規一般母屋４５０の端部４５２を接続することにより、新規一般母屋４５０を既存一般母屋３８の延長上に設置する。なお、新規一般母屋４５０は、長尺の木角材であって、端部４５２には貫通孔４５２ａが穿設されている（図４１参照）。
【００８７】
既存一般母屋３８は、既存軒先母屋１８、既存第１母屋２６及び既存第２母屋３２と同様の構成であって、図３７に示すように、端部を既存隅木梁１９に設けられた一般母屋受け金具３９に締結具５０で締結して固定されることにより、既存軒先母屋１８の３段以上に設置されている（図１参照）。
【００８８】
一般母屋受け金具３９は、図３８に示すように、第３の実施形態の第２母屋受け金具３３と同様の構成であり、互いに略９０°をなす２つの縁辺を有する略六角形の平部４０と、該各平部４０の縁辺からそれぞれ略９０°をなして上向きに立ち上がり、上端部に貫通孔４１ａが穿設された一般母屋受け部４１とを有している。一般母屋受け金具３９の既存隅木梁１９への固定は溶接により行われ、一般母屋受け金具３９の２個の一般母屋受け部４１が互いに既存隅木梁１９の長軸線Ｌに対して対称となるように既存隅木梁１９の上面に設けられている。
【００８９】
既存一般母屋３８の一般母屋受け金具３９への固定も、図３７に示すように、第３の実施形態と同様に、既存一般母屋３８の端部及び増築部側の既存一般母屋４２の端部をそれぞれ一般母屋受け金具３９の平部４０に載置するとともに、各一般母屋受け部４１に締結具５０で締結して固定することにより行う。これにより、既存一般母屋３８と増築部側の既存一般母屋４２とが同一面に、かつ、略９０°の角度をなして既存隅木梁１９に配置される。
【００９０】
一般母屋延長金具４５１は、図３９に示すように、斜辺が長辺に対して略４５°の角度をなし、上隅角部に貫通孔４５３ａが穿設された略台形の一般母屋受け接続部４５３と、略長方形状の底部４５４と、該底部４５４の長辺から略９０°の角度をなして上向きに立ち上がり、上隅角部に貫通孔４５５ａが穿設された斜辺が長辺に対して略４５°の角度をなす略台形の一般母屋接続部４５５とを有する一般母屋接続部材４５６と、一般母屋受け接続部５６の斜辺と対向する縁辺に固着された補強部４５７とを有しており、一般母屋受け接続部４５３の斜辺と一般母屋接続部４５５の斜辺とを略合致させて固着することにより形成したものである。
【００９１】
一般母屋延長金具４５１の一般母屋受け金具３９への固定は、図４０に示すように、一般母屋受け金具３９の増築部側の一般母屋受け部４１の平部４０側面に一般母屋延長金具４５１の一般母屋受け接続部４５３をあてがい、一般母屋受け金具３９の一般母屋受け部４１に一般母屋延長金具４５１の一般母屋受け接続部４５３を締結具（図示せず）で締結して固定することにより行う。
【００９２】
このとき、一般母屋延長金具４５１の一般母屋受け接続部４５３の上縁辺の長さを、一般母屋延長金具４５１を一般母屋受け金具３９に固定したときに、一般母屋受け接続部４５３の斜辺が既存一般母屋３８の先端に当接する長さとしておくと、一般母屋延長金具４５１の補強部４５７に一般母屋受け金具３９の一般母屋受け部４１の既存隅木梁１９と対向する縁辺が当接することとなり、一般母屋延長金具４５１の一般母屋受け接続部４５３が、既存一般母屋３８と一般母屋延長金具４５１の補強部４５７とで挟まれた状態となるので、一般母屋延長金具４５１を一般母屋受け金具３９に安定良く設置することができる（図４１参照）。
【００９３】
これにより、図４１に示すように、一般母屋延長金具４５１の一般母屋接続部材４５６の折曲部４５８が一般母屋受け金具３９の既存般母屋１３０の方の折曲部４３と略同一面に、かつ、その延長線上に配置される。
【００９４】
新規一般母屋４５０の端部４５２の一般母屋延長金具４５１への接続は、図４１に示すように、一般母屋延長金具４５１を一般母屋受け金具３９に固定した後、一般母屋延長金具４５１の一般母屋接続部材４５６に新規一般母屋４５０の端部４５２を載置し、該新規一般母屋４５０の端部４５２の貫通孔４５２ａと一般母屋延長金具４５１の一般母屋接続部４５５の貫通孔４５５ａとを締結具５０で締結することにより行う。これにより、図３７に示すように、新規一般母屋４５０が既存一般母屋３８の延長上に設置される。
【００９５】
以上により、図２２に示すように、既存住宅の増築部側の母屋の設置方向が略９０°変更されて、新規一般母屋４５０が既存一般母屋３８と同一面に配置される、即ち、既存一般母屋３８が増築部側へ延長されたこととなる。
【００９６】
第５に、図４２に示すように、既存住宅の桁側面の軒先に沿って軒先梁を新たに追加する。この軒先梁の設置の第１の実施の形態は、既存住宅の桁側面の軒先に沿って、既存のトラス１０００の両側方に軒先梁１００１を設置し、且つ、増築部側に該軒先梁１００１と略直交する方向へ直交梁１００２を設置する必要がある場合の軒先梁設置工法であって、図４３に示す手順で、トラス軒先部１００３に前処理を施し、図４６に示すような、ウエブ跨ぎ部５０１と、軒先梁接続部５０１と、直交梁接続部５０２と、底部５０３を有する軒先梁設置金具５０４を、相隣接するトラス１０００の軒先側の端部に、軒先梁接続部５０１を相対向させてそれぞれ配設し、相対向する軒先梁接続部５０１に、軒先梁１００１の両端部を接続することにより行うものである。以下、更に詳細に説明する。
【００９７】
軒先梁設置金具５０４をトラス１０００の軒先側の端部に設置する際には、トラス軒先部１００３、及びトラス１０００の軒先側の端部に設けられたプレート１００４が邪魔となるため、それらを切除する前処理工程が必要となる。この前処理工程の手順を示すのが図４３であり、各手順ごとの作業後の状態を表すのが図４４、及び図４５である。
【００９８】
手順１では、トラス軒先部１００３を切除している。これは、トラス軒先部１００３を適宜に短くしておくことにより、後の作業を行い易くするためである。ここで、図４４（ａ）は、この手順の作業前の状態を、図４４（ｂ）は作業後の状態を表している。尚、切断に用いる工具としては、例えばレシプロソー（不図示）を用いることができ、後述する切断作業についても同様である。
【００９９】
手順２では、トラス１０００の軒先側の端部に、軒先に面して設けられている断面略逆Ｌ字型のプレート１００４を取り除くために、該プレート１００４とトラス１０００との接合面に沿うように、トラス軒先部１００３と共に、鉛直方向に切断している。このとき、プレート１００４とトラス１０００との溶接部を避け、プレート１００４とトラス１０００との接合面より若干内側で切断すると切断し易い。ここで、図４４（ｃ）は、この手順の作業後の状態を表している。
【０１００】
手順３では、トラス軒先部１００３を、トラス１０００のＣ型鋼１００５先端部より若干軒先側において、トラス１０００のウエブ１００６に達するまで切断している。これは、軒先梁設置金具５０４を設置するのに邪魔となる部分を除去するためである。ここで、図４４（ｄ）は、この手順の作業後の状態を表している。
【０１０１】
手順４では、プレート１００４の下部を軒先側から水平方向に切断することにより、プレート１００４をトラス１０００から切り離している。ここで、図４５（ａ）は、この手順の作業後の状態を表している。
【０１０２】
手順５では、例えば、サンダー（不図示）等の工具を用いて研磨することにより、手順４においてトラス１０００の下部に残ったプレート１００４の残片を取り除いている。これにより、軒先梁設置金具５０４の該部位への納まりが良くなる、という利点がある。ここで、図４４（ｂ）は、この手順の作業後の状態を表している。
【０１０３】
手順６では、軒先側からトラス１０００のウエブ１００６の傾斜に沿って、手順３において切断した位置まで、トラス１０００とトラス軒先部１００３との接合面を切断し、トラス軒先部１００３の軒先側部を除去している。ここで、図４５（ｃ）は、この手順の作業後の状態を表している。
【０１０４】
図４６に示す軒先梁設置金具５０４の底部５０３から鉛直方向に立ちあがる、左右１対のウエブ跨ぎ部５０１は、トラス１０００のウエブ１００６の厚さよりも若干広い間隔をおいて略平行に配置されている。軒先梁設置金具５０４の設置に際しては、図４７及び図４８に示すように、ウエブ跨ぎ部５０１が、前述のような前処理を施したトラス１０００のウエブ１００６の軒先側の端部を跨ぐように軒先梁設置金具５０４をあてがい、トラス１０００のウエブ１００６の軒先側の端部が直交梁接続部５０２に達するまで軒先梁設置金具５０４を押し込むと共に、ウエブ跨ぎ部５０１に設けた貫通孔５０５、及び底部５０３に設けた貫通孔５０６において、ボルト締めでトラス１０００、及び軸組１００７に固定している。
【０１０５】
軒先梁設置金具５０４の両側部に突設された軒先梁接続部５０１は、ウエブ跨ぎ部５０１、及び底部５０３の双方と略９０°の角度をなしており、図４９に示すように、該軒先梁接続部５０１に、Ｈ型鋼である軒先梁１００１のウエブ１００８を当接させ、軒先梁接続部５０１に設けられた貫通孔５０７においてボルト締めで固定することにより、軒先梁１００１を軒先に沿って設置している。
【０１０６】
直交梁接続部５０２は、ウエブ跨ぎ部５０１、及び底部５０３の双方と略９０°の角度をなして設けられ、軒先側面が平坦面に形成されている。これにより、軒先梁設置金具５０４を設置したときに、該直交梁接続部５０２の平坦面が軒先に面し、図４８、及び図４９に示すように、この平坦面に、Ｈ型鋼である直交梁１００２の一端部を、接合板１００９を介して接合させ、直交梁接続部５０２に設けられた貫通孔５０８においてボルト締めで固定することにより、直交梁１００２を容易に設置することができる。
【０１０７】
また、軒先側に葺き下ろし梁１０１０を設けて増築する場合も、既存住宅の桁側面の軒先に沿って、軒先梁１００１の新たな設置が必要となる。この場合、トラス軒先部１００３の前処理、軒先梁設置金具５０４の配設、及び軒先梁１００１の設置については直交梁１００２の設置の場合と同様の手順で行い、図５０に示すように、直交梁接続部５０２に葺き下ろし梁１０１０の基部１０１１を接合させ、ボルト締めにより固定するとよい。
【０１０８】
次に、軒先梁の設置の第２の実施形態は、図４２に示すように、既存住宅の桁側面の軒先に沿って、既存のトラス１０００の一側方に軒先梁１００１を設置し、且つ、増築部側に該軒先梁１００１と直交する方向へ直交梁１００２を設置する必要がある場合の軒先梁設置工法であって、第１の実施形態と同様の手順でトラス軒先部１００３に前処理を施し、図５１（ａ）に示すような、ウエブ跨ぎ部５１０と、軒先梁接続部５１１と、直交梁接続部５１２と、底部５１３を有する軒先梁設置金具５１４、又は、図５１（ｂ）に示すような、ウエブ跨ぎ部５１５と、軒先梁接続部５１６と、直交梁接続部５１７と、底部５１８を有する軒先梁設置金具５１９を、相隣接するトラス１０００の軒先側の端部に、軒先梁接続部５１１、又は５１６を相対向させてそれぞれ配設し、相対向する軒先梁接続部５１１又は５１６に、軒先梁１００１の両端部を接続することにより行うものである。以下、更に詳細に説明する。
【０１０９】
ウエブ跨ぎ部５１０、及びウエブ跨ぎ部５１５は、第１の実施形態の軒先梁設置金具５０４のウエブ跨ぎ部５０１と同様の形状を有しており、トラス１０００の軒先側の端部への設置方法は第１の実施形態と同様である。
【０１１０】
軒先梁設置金具５１４の右側部に設けられた軒先梁接続部５１１は、ウエブ跨ぎ部５１０、及び底部５１３の双方と略９０°の角度をなしており、図５２に示すように、該軒先梁接続部５１１に、Ｈ型鋼である軒先梁１００１のウエブ１００８を当接させ、軒先梁接続部５１１に設けられた貫通孔５２０においてボルト締めで固定することにより、軒先に沿って軒先梁１００１を設置している。また、軒先梁設置金具５１９は、その左側部に軒先梁接続部５１６を有しており、それ以外の構造、及び軒先梁１００１の接続方法は軒先梁接続金具２６と同様である。以上２つの軒先梁設置金具５１４と軒先梁設置金具５１９は、トラス１０００と、新たに追加する軒先梁１００１との位置関係に応じて使い分けるとよい。
【０１１１】
直交梁接続部５１２、及び直交梁接続部５１７は、第１の実施形態の軒先梁設置金具５０４の直交梁接続部５０２と同一の形状を有し、第１の実施形態と同様の手順により、直交梁１００２、又は葺き下ろし梁１０１０を増築部側に設置することができる。
【０１１２】
次に、軒先梁の設置の第３の実施形態は、図４２に示すように、既存住宅の桁側面の軒先に沿って、既存のトラス１０００の両側方に軒先梁１００１を設置し、且つ、増築部側に軒先梁１００１と直交する方向へ直交梁１００２を設置する必要がない場合の軒先梁設置工法であって、図５３に示すように、トラス軒先部１００３に前処理を施した後、図５４に示すような、傾斜部５３０と、補強板５３１を有する蓋部材５３２と、軒先梁接続部５３３と、傾斜部５３４と、ウエブ接合部５３５と、底部５３６を有する左右１対の羽根部材５３７とを具備する軒先梁設置金具５３８を、相隣接するトラス１０００の軒先側の端部に、突設された軒先梁接続部５３３を相対向させてそれぞれ配設し、相対向するこれら軒先梁接続部５３３に、軒先梁１００１の両端部を接続することにより行うものである。以下、更に詳細に説明する。
【０１１３】
本実施形態の場合、トラス軒先部１００３に施す前処理として、図５３に示すように、トラス軒先部１００３を、軒先より若干増築部側の位置で切断し、軒先側部を除去している。これは、本実施形態では、増築部側に直交梁１００２を設ける必要がないため、トラス軒先部１００３が、増築部側に若干突出した状態で残っていても、邪魔とならないからである。もちろん、この場合、第１の実施形態の手順で前処理を施し、軒先梁設置金具５０４を設置しても構わないが、本実施形態のように、前処理を簡素化して、軒先梁設置金具５３８を用いた方が作業能率を向上できる、という利点がある。
【０１１４】
図５４に示す羽根部材５３７は、その一側方に伸びる軒先梁接続部５３３を有し、該軒先梁接続部５３３は、底部５３６と、ウエブ接合部５３５の双方に略９０°の角度をなしている。軒先梁１００１の接続に際しては、軒先梁接続部５３３に、図５５に示すように、Ｈ型鋼である軒先梁１００１のウエブ１００８を当接させ、軒先梁接続部５３３に設けられた貫通孔５３９において、ボルト締めで固定することにより、軒先梁１００１を軒先に沿って設置している。
【０１１５】
蓋部材５３２は、羽根部材５３７各々をその上部において連結し、一体化する役割を果たしており、羽根部材５３７の、外部からの力の作用に対するぐらつき、脱落等を防止するために設けられている。また、図５４に示すように、蓋部材５３２の構造上の弱さを補強するために、その内部に補強板５３１を設けている。
【０１１６】
羽根部材５３７の傾斜部５３４と、蓋部材５３２の傾斜部５３０は、その傾斜角を等しくしてあり、図５７に示すように、双方を接合し、ボルト締めにより羽根部材５３７と蓋部材５３２を固定している。この傾斜角は、本実施形態の場合、トラス軒先部１００３の傾斜角と等しくしている。これにより、羽根部材５３７を、トラス１０００の軒先側の側部に納まり良く配置することが可能となっている。
【０１１７】
軒先梁設置金具５３８の設置に際しては、図５６、及び図５７に示すように、まず羽根部材５３７各々を、トラス１０００の軒先側の端部に、底部５３６がトラス１０００のフランジ１０１２と接合し、また、ウエブ接合部５３５がトラス１０００のウエブ１００６と接合するよう配設し、底部５３６に設けた貫通孔５４０においてボルト締めで固定する。次に、蓋部材５３２をトラス軒先部１００３の上方から被せ、蓋部材５３２の傾斜部５３０各々を、羽根部材５３７各々の傾斜部５３４に接合させる。更に蓋部材５３２の傾斜部５３０に設けた貫通孔５４１と、羽根部材５３７各々の傾斜部５３４に設けた貫通孔５４２の位置を合わせた上で、ボルト締めで固定すればよい。
【０１１８】
尚、本実施形態では、桁側面の軒先に沿って、トラス１０００の両側方に軒先梁１００１を設置する場合について述べたが、トラス１０００の一側方のみに軒先梁１００１を設置する場合にも、同様の手順で軒先梁設置金具５３８を設置し、羽根部材５３７の軒先梁接続部５３３のいずれか一方を使用しない状態にしておくとよい。この場合、羽根部材５３７を一方しか設置しないと、蓋部材５３２が安定せず、ぐらつき、脱落等が発生する可能性があるため、羽根部材５３７は常に左右一対を揃えた状態で用いるのが好ましい。
【０１１９】
以上説明した３つの実施形態のいずれの場合についても、軒先梁１００１の設置に際しては、図５８に示すように、トラス１０００―トラス１０００間、トラス１０００―隅木梁１０１３間、トラス１０００―登り梁１０１４間、あるいは登り梁１０１４―隅木梁１０１３間のいずれの場所に設置するのかにより、また、トラス１０００の軒先側の端部に設置する金具が、第１乃至３のいずれの実施形態のものなのかにより、軒先梁１００１の長手方向寸法、及び端部の形状を適宜変更する必要がある。
【０１２０】
特に、軒先梁１００１の一端側に既存の隅木梁１０１３がある場合には、軒先梁１００１の隅木梁１０１３側の端部に隅木梁接続梁５５０を設けることにより、軒先梁１００１が隅木梁１０１３に接触することを防止している。
【０１２１】
隅木梁接続梁５５０は、図５９に示すように、垂直板５５１と、該垂直板５５１の上端縁に固定され、垂直板５５１と直交する上面板５５２と、垂直板５５１の下端縁に固定され、垂直板５５１と直交する底面板５５３と、該底面板５５３上に固定され、内部が空洞である略直方体形状を有する箱部５５４と、箱部５５４の内部に設けられた補強板５５５とを有しており、図６１に示すように、上面板５５２、底面板５５３、及び垂直板５５１の端部が接合板１０１５を介して軒先梁１００１に固定されると共に、箱部５５４の底面に設けた貫通孔５５６において、ボルト締めで軸組１００７に固定されている。
【０１２２】
上面板５５２、及び垂直板５５１は、略長方形の平板の一部を斜めに切り落とした形状となっている。これにより、上面板５５２、及び垂直板５５１が、隅木梁接続梁５５０の斜め上方から斜め下方へと伸びる隅木梁１０１３と接触することを防止している。
【０１２３】
隅木梁１０１３と隅木梁接続梁５５０との接続部分において、増築部側に葺き下ろし梁１０１０を設けて増築する必要がある場合、図６０に示すように、箱部５５４の増築部側側面に、葺き下ろし梁１０１０の基部１０１１を接合させ、箱部５５４の増築部側側面に設けた貫通孔５５７において、ボルト締めにより固定すればよい。また、葺き下ろし梁１０１０を接続しない場合には、箱部５５４の増築部側側面は平坦面である必要は無く、箱部５５４の形状は、中空の略直方体に限られず、他の形状であっても構わない。
【０１２４】
また、図５８に示すように、軒先梁１００１の一端部を登り梁１０１４に接続する必要がある場合には、既存の登り梁接続金具１０１６等を用いて接続すればよい。
【０１２５】
【発明の効果】
以上説明したように、本発明の請求項１に記載の小屋組の増築施工法によれば、既存住宅の小屋組を全面的に解体することなく、既存大棟の端部から新規大棟の端部に向って隅木梁を延長させ、既存大棟の中間部の登り梁を新規大棟の端部に向って延長させることができるという利点がある。
【０１２６】
また、既存の小屋組を全面的に解体しないので、施工期間を短縮することができるだけでなく、労力を削減しながら作業性を向上させることができるという利点がある。
【０１２７】
更に、各部材の接続を締結具で締結することにより行うので、作業性の向上を図ることができるだけでなく、溶接接合と比べて、十分な安全性を確保することができるという利点がある。
【０１２８】
更にまた、既存の小屋組を全面的に解体しないので、産業廃棄物の発生量を減少させることができるだけでなく、これを運搬して処理するための費用を削減することができるという利点がある。
【０１２９】
そして、施工期間の短縮化により顧客に不便を強いる期間が短くなり、顧客の負担を軽減させることができるという利点がある。
【０１３０】
請求項２に記載の小屋組の増築施工法によれば、請求項１の利点に加えて、既存住宅の既存母屋を全て撤去することなく、既存住宅の増築部側の母屋の設置方向を略９０°変更して増築部の新規母屋を既存住宅の既存母屋と略同一面に配置することができるという利点がある。
【０１３１】
請求項３に記載の小屋組の増築施工法によれば、既存住宅の小屋組や軒裏等を全面的に解体することなく、容易に軒先梁を設置することができるという利点がある。
【０１３２】
また、既存住宅の小屋組や軒裏等の全面的な解体が不要となることで、省力化、及び施工期間の大幅な短縮を図ることができると共に、従来、産業廃棄物として処理していた、解体時に生じる不要なトラスが発生しなくなることで、処理に要するコストを削減することが可能となる。
【０１３３】
請求項４に記載の小屋組の増築施工法によれば、請求項３に記載の小屋組の増築施工法と同様に、既存住宅の小屋組や軒裏等を全面的に解体することなく、容易に軒先梁を設置することが可能となる。
【０１３４】
また、既存住宅の小屋組や軒裏等の全面的な解体が不要となることで、省力化、及び施工期間の大幅な短縮を図ることができると共に、従来、産業廃棄物として処理していた、解体時に生じる不要なトラスが発生しなくなることで、処理に要するコストを削減することが可能となる。
【０１３５】
即ち、本発明の小屋組の増築施工法によれば、施工の省力化、コストダウン及び廃棄物の削減を図ることができるという利点がある。
【図面の簡単な説明】
【図１】本発明の実施の形態に係る小屋組全体の概略を示す平面図である。
【図２】新規隅木梁を含む小屋組を示す側面図である。
【図３】図２のＡ部分拡大図である。
【図４】隅木梁延長金具と新規隅木梁との接続手順を示す説明図である。
【図５】隅木梁延長金具の隅頂部母屋受けへの固定手順を示す平面図である。
【図６】図３の平面図である。
【図７】和小屋組での新規隅木梁を含む小屋組を示す側面図である。
【図８】新規登り梁を含む小屋組を示す側面図である。
【図９】登り梁延長金具を示す斜視図である。
【図１０】図８のＢ部分拡大図である。
【図１１】図１０の平面図である。
【図１２】新規登り梁束及び登り梁束接続金具を示す斜視図である。
【図１３】図８のＣ部分拡大図である。
【図１４】図１３の平面図である。
【図１５】登り梁延長金具の頂部母屋受けへの接続手順を示す説明図である。
【図１６】図１４のＤ部分における登り梁束接続金具の増築部側の既存登り梁への固定手順を示す説明図である。
【図１７】登り梁束接続金具の増築部側の既存登り梁への固定手順を示す説明図である。
【図１８】他の実施の形態の登り梁束接続金具を示す側面図である。
【図１９】他の実施の形態の登り梁束接続金具を示す平面図である。
【図２０】他の実施の形態の登り梁束接続金具を示す側面図である。
【図２１】和小屋組での新規登り梁を含む小屋組を示す側面図である。
【図２２】本発明の実施の形態に係る小屋組全体の概略を示す平面図である。
【図２３】軒先母屋の実施形態を示す平面図である。
【図２４】軒先母屋受け金具及び軒先母屋延長金具を示す斜視図である。
【図２５】軒先母屋延長金具の軒先母屋受け金具への固定手順を示す説明図である。
【図２６】新規軒先母屋の軒先母屋延長金具への接続手順を示す説明図である。
【図２７】第１母屋の実施形態を示す平面図である。
【図２８】第１母屋受け金具を示す平面図である。
【図２９】第１母屋延長金具を示す斜視図である。
【図３０】第１母屋延長金具の第１母屋受け金具への固定手順を示す説明図である。
【図３１】新規第１母屋の第１母屋延長金具への接続手順を示す説明図である。
【図３２】第２母屋の実施形態を示す平面図である。
【図３３】第２母屋受け金具を示す平面図である。
【図３４】第２母屋延長金具を示す斜視図である。
【図３５】第２母屋延長金具の第２母屋受け金具への固定手順を示す説明図である。
【図３６】新規第２母屋の第２母屋延長金具への接続手順を示す説明図である。
【図３７】一般母屋の実施形態を示す平面図である。
【図３８】一般母屋受け金具を示す平面図である。
【図３９】一般母屋延長金具を示す斜視図である。
【図４０】一般母屋延長金具の一般母屋受け金具への固定手順を示す説明図である。
【図４１】新規一般母屋の一般母屋延長金具への接続手順を示す説明図である。
【図４２】本発明の実施の形態に係る小屋組全体の概略を示す平面図である。
【図４３】トラス軒先部への前処理の流れを説明するための説明図である。
【図４４】トラス軒先部への前処理を各手順ごとに説明するための説明図である。
【図４５】トラス軒先部への前処理を各手順ごとに説明するための説明図である。
【図４６】軒先梁設置金具の概略斜視図である。
【図４７】軒先梁設置金具の設置方法を説明するための概略斜視図である。
【図４８】軒先梁設置金具の設置状態を示す概略側面図である。
【図４９】軒先梁設置金具と軒先梁の接続部分を示す概略平面図である。
【図５０】軒先梁設置金具と葺き下ろし梁の接続部分を示す概略側面図である。
【図５１】軒先梁設置金具の概略斜視図である。
【図５２】軒先梁設置金具と軒先梁の接続部分を示す概略平面図である。
【図５３】トラス軒先部への前処理を説明するための説明図である。
【図５４】軒先梁設置金具の概略斜視図である。
【図５５】軒先梁設置金具と軒先梁の接続部分を示す概略平面図である。
【図５６】軒先梁設置金具の設置方法を説明するための概略斜視図である。
【図５７】軒先梁設置金具の設置状態を示す概略側面図である。
【図５８】トラス、隅木梁、及び登り梁と、軒先梁の接続部分について説明するための概略平面図である。
【図５９】隅木梁接続梁の概略斜視図である。
【図６０】隅木梁接合梁と葺き下ろし梁の接合部分を示す概略平面図である。
【図６１】隅木梁接合梁と隅木梁の接合部分を示す概略斜視図である。
【符号の説明】
１　既存隅木梁
８　既存登り梁
１００　新規隅木梁
２００　新規登り梁
【図１】
2004044082.tif 000003
【図２】
2004044082.tif 000004
【図３】
2004044082.tif 000005
【図４】
2004044082.tif 000006
【図５】
2004044082.tif 000007
【図６】
2004044082.tif 000008
【図７】
2004044082.tif 000009
【図８】
2004044082.tif 000010
【図９】
2004044082.tif 000011
【図１０】
2004044082.tif 000012
【図１１】
2004044082.tif 000013
【図１２】
2004044082.tif 000014
【図１３】
2004044082.tif 000015
【図１４】
2004044082.tif 000016
【図１５】
2004044082.tif 000017
【図１６】
2004044082.tif 000018
【図１７】
2004044082.tif 000019
【図１８】
2004044082.tif 000020
【図１９】
2004044082.tif 000021
【図２０】
2004044082.tif 000022
【図２１】
2004044082.tif 000023
【図２２】
2004044082.tif 000024
【図２３】
2004044082.tif 000025
【図２４】
2004044082.tif 000026
【図２５】
2004044082.tif 000027
【図２６】
2004044082.tif 000028
【図２７】
2004044082.tif 000029
【図２８】
2004044082.tif 000030
【図２９】
2004044082.tif 000031
【図３０】
2004044082.tif 000032
【図３１】
2004044082.tif 000033
【図３２】
2004044082.tif 000034
【図３３】
2004044082.tif 000035
【図３４】
2004044082.tif 000036
【図３５】
2004044082.tif 000037
【図３６】
2004044082.tif 000038
【図３７】
2004044082.tif 000039
【図３８】
2004044082.tif 000040
【図３９】
2004044082.tif 000041
【図４０】
2004044082.tif 000042
【図４１】
2004044082.tif 000043
【図４２】
2004044082.tif 000044
【図４３】
2004044082.tif 000045
【図４４】
2004044082.tif 000046
【図４５】
2004044082.tif 000047
【図４６】
2004044082.tif 000048
【図４７】
2004044082.tif 000049
【図４８】
2004044082.tif 000050
【図４９】
2004044082.tif 000051
【図５０】
2004044082.tif 000052
【図５１】
2004044082.tif 000053
【図５２】
2004044082.tif 000054
【図５３】
2004044082.tif 000055
【図５４】
2004044082.tif 000056
【図５５】
2004044082.tif 000057
【図５６】
2004044082.tif 000058
【図５７】
2004044082.tif 000059
【図５８】
2004044082.tif 000060
【図５９】
2004044082.tif 000061
【図６０】
2004044082.tif 000062
【図６１】
2004044082.tif 000063